(57)【要約】【課題】非加入者端末が高速で安定した通信を行うことができないという問題を解決する小型基地局を提供する。【解決手段】登録部２０１には、加入者端末を特定する識別情報が登録される。設定部２０２には、加入者端末以外の携帯端末である非加入者端末との接続を許可するか否かを示すモードが設定される。通信部２０３は、携帯端末１０から、携帯端末１０を特定する識別情報を含む接続要求を受信する。制御部２０４は、通信部２０３が受信した接続要求内の識別情報が登録部２０１に登録されていると、携帯端末１０と接続する。また、制御部２０４は、その識別情報が登録部２０１に登録されていないと、設定部２０２に設定されているモードが非加入者端末との接続を許可する場合、携帯端末１０と接続する。【選択図】図１
2010263561.tif 000002
【特許請求の範囲】
【請求項１】
加入者無線端末を特定する識別情報を登録する登録手段と、
前記加入者無線端末以外の無線端末である非加入者無線端末との接続を許可するか否かを示すモードが設定される設定手段と、
無線端末から、該無線端末を特定する識別情報を含む接続要求を受信する通信手段と、
前記通信手段にて受信された接続要求内の識別情報が前記登録手段に登録されていると、該無線端末と接続し、前記通信手段にて受信された接続要求内の識別情報が前記登録手段に登録されていないと、前記設定手段に設定されたモードが前記非加入者無線端末との接続を許可することを示す場合、該無線端末と接続する制御手段と、を含む小型基地局。
【請求項２】
請求項１に記載の小型基地局において、
前記制御手段は、前記設定手段に設定されているモードが前記非加入者無線端末との接続を許可することを示している場合、前記非加入者無線端末に関する値を測定し、該値に応じて前記加入者無線端末のユーザに与えるポイントを算出する、小型基地局。
【請求項３】
請求項２に記載の小型基地局において、
前記非加入者無線端末に関する値は、前記非加入者無線端末の接続回数と、前記非加入者無線端末の接続時間と、前記非加入者無線端末との接続を許可することを示すモードが設定されている設定時間と、の少なくとも一つである、小型基地局。
【請求項４】
請求項１ないし３のいずれか１項に記載の小型基地局において、
前記通信手段は、無線端末から、該無線端末を特定する識別情報を含み、前記モードを切り替えるための切替要求を受信し、
前記制御手段は、前記通信手段にて受信された切替要求内の識別情報が前記登録手段に登録されている場合、前記通信手段が受信した切替要求に従って前記設定手段に設定されているモードを切り替える、小型基地局。
【請求項５】
請求項１ないし４のいずれか１項に記載の小型基地局と接続可能な無線端末であって、
自無線端末を特定する識別情報を記憶する記憶手段と、
通信を開始する旨の開始要求を受け付ける入力手段と、
前記入力手段が前記開始要求を受け付けると、前記記憶手段に記憶された識別情報を含む接続要求を生成する管理手段と、
前記管理手段が生成した接続要求を送信する端末通信手段と、を含む無線端末。
【請求項６】
請求項５に記載の無線端末において、
表示手段をさらに含み、
前記管理手段は、通信圏内にある小型基地局の通信状態を示す基地局情報を取得し、該取得した基地局情報を前記表示手段に表示する、無線端末。
【請求項７】
小型基地局と、前記小型基地局に接続可能な無線端末とを含む無線通信システムであって、
前記無線端末は、
自無線端末を特定する識別情報を記憶する記憶手段と、
通信を開始する旨の開始要求を受け付ける入力手段と、
前記入力手段が前記開始要求を受け付けると、前記記憶手段に記憶された識別情報を含む接続要求を生成する管理手段と、
前記管理手段が生成した接続要求を送信する端末通信手段と、を含み、
前記小型基地局は、
加入者無線端末を特定する識別情報を登録する登録手段と、
前記加入者無線端末以外の無線端末である非加入者無線端末との接続を許可するか否かを示すモードが設定される設定手段と、
前記無線端末から、前記接続要求を受信する通信手段と、
前記通信手段にて受信された接続要求内の識別情報が前記登録手段に登録されていると、該無線端末と接続し、前記通信手段にて受信された接続要求内の識別情報が前記登録手段に登録されていないと、前記設定手段に設定されたモードが前記非加入者無線端末との接続を許可することを示す場合、該無線端末と接続する制御手段と、を含む、無線通信システム。
【請求項８】
請求項７に記載の無線通信システムにおいて、
前記制御手段は、前記設定手段に設定されているモードが前記非加入者無線端末との接続を許可することを示している場合、前記非加入者無線端末に関する値を測定し、該値に応じて前記加入者無線端末のユーザに与えるポイントを算出する、無線通信システム。
【請求項９】
請求項８に記載の無線通信システムにおいて、
前記非加入者無線端末に関する値は、前記非加入者無線端末の接続回数と、前記非加入者無線端末の接続時間と、前記非加入者無線端末との接続を許可することを示すモードが設定されている設定時間と、の少なくとも一つである、無線通信システム。
【請求項１０】
請求項７ないし９のいずれか１項に記載の無線通信システムにおいて、
前記入力手段は、前記モードを切り替えるための切替要求を受け付け、
前記管理手段は、前記入力手段が受け付けた切替要求に、前記記憶手段に記憶された識別情報を加え、
前記端末通信手段は、前記管理手段が前記識別情報を加えた切替要求を送信し、
前記通信手段は、前記無線端末から前記切替要求を受信し、
前記制御手段は、前記通信手段にて受信された切替要求内の識別情報が前記登録手段に登録されている場合、前記通信手段が受信した切替要求に従って前記設定手段に設定されているモードを切り替える、無線通信システム。
【請求項１１】
請求項７ないし１０のいずれか１項に記載の無線通信システムにおいて、
前記無線端末は、表示手段をさらに含み、
前記管理手段は、通信圏内にある小型基地局の通信状態を示す基地局情報を取得し、該取得した基地局情報を前記表示手段に表示する、無線通信システム。
【請求項１２】
加入者無線端末を特定する識別情報を登録する登録手段と、前記加入者無線端末以外の無線端末である非加入者無線端末との接続を許可するか否かを示すモードが設定される設定手段と、を含む小型基地局が行う接続管理方法であって、
無線端末から、該無線端末を特定する識別情報を含む接続要求を受信し、
前記受信された接続要求内の識別情報が前記登録手段に登録されていると、該無線端末と接続し、前記受信された接続要求内の識別情報が前記登録手段に登録されていないと、前記設定手段に設定されたモードが前記非加入者無線端末との接続を許可することを示す場合、該無線端末と接続する、接続管理方法
【請求項１３】
請求項１２に記載の接続管理方法において、
前記設定手段に設定されているモードが前記非加入者無線端末との接続を許可することを示している場合、前記非加入者無線端末に関する値を測定し、該値に応じて前記加入者無線端末のユーザに与えるポイントを算出する、接続管理方法。
【請求項１４】
請求項１３に記載の接続管理方法において、
前記非加入者無線端末に関する値は、前記非加入者無線端末の接続回数と、前記非加入者無線端末の接続時間と、前記非加入者無線端末との接続を許可することを示すモードが設定されている設定時間と、の少なくとも一つである、接続管理方法。
【請求項１５】
請求項１２ないし１４のいずれか１項に記載の接続管理方法において、
無線端末から、該無線端末を特定する識別情報を含み、前記モードを切り替えるための切替要求を受信し、
前記受信された切替要求内の識別情報が前記登録手段に登録されている場合、前記通信手段が受信した切替要求に従って前記設定手段に設定されているモードを切り替える、接続管理方法。
【請求項１６】
請求項１ないし４のいずれか１項に記載の小型基地局と接続可能であり、自無線端末を特定する識別情報を記憶する記憶手段を含む無線端末が行う接続方法であって、
通信を開始する旨の開始要求を受け付け、
前記開始要求が受け付けられると、前記記憶手段に記憶された識別情報を含む接続要求を生成し、
前記生成された接続要求を送信する、接続方法。
【請求項１７】
請求項１６に記載の接続方法において、
通信圏内にある小型基地局の通信状態を示す基地局情報を取得し、該取得した基地局情報を表示する、接続方法。
【請求項１８】
小型基地局と、前記小型基地局に接続可能な無線端末とを含み、前記小型基地局は、加入者無線端末を特定する識別情報を登録する登録手段と、前記加入者無線端末以外の無線端末である非加入者無線端末との接続を許可するか否かを示すモードが設定される設定手段と、を含み、前記無線端末は、自無線端末を特定する識別情報を記憶する記憶手段を含む無線通信システムが行う接続方法であって、
前記無線端末が、通信を開始する旨の開始要求を受け付け、
前記無線端末が、前記開始要求が受け付けられると、前記記憶手段に記憶された識別情報を含む接続要求を生成し、
前記無線端末が、前記生成された接続要求を送信し、
前記小型基地局が、前記無線端末から、前記接続要求を受信し、
前記小型基地局が、前記受信された接続要求内の識別情報が前記登録手段に登録されていると、該無線端末と接続し、前記受信された接続要求内の識別情報が前記登録手段に登録されていないと、前記設定手段に設定されたモードが前記非加入者無線端末との接続を許可することを示す場合、該無線端末と接続する、接続方法。
【請求項１９】
請求項１８に記載の接続方法において、
前記小型基地局が、前記設定手段に設定されているモードが前記非加入者無線端末との接続を許可することを示している場合、前記非加入者無線端末に関する値を測定し、該値に応じて前記加入者無線端末のユーザに与えるポイントを算出する、接続方法。
【請求項２０】
請求項１９に記載の接続方法において、
前記非加入者無線端末に関する値は、前記非加入者無線端末の接続回数と、前記非加入者無線端末の接続時間と、前記非加入者無線端末との接続を許可することを示すモードが設定されている設定時間と、の少なくとも一つである、接続方法。
【請求項２１】
請求項１８ないし２０のいずれか１項に記載の接続方法において、
前記無線端末が、前記モードを切り替えるための切替要求を受け付け、
前記無線端末が、前記受け付けられた切替要求に、前記記憶手段に記憶された識別情報を加え、
前記無線端末が、前記識別情報が加えられた切替要求を送信し、
前記小型基地局が、前記無線端末から前記切替要求を受信し、
前記小型基地局が、前記受信された切替要求内の識別情報が前記登録手段に登録されている場合、前記受信された切替要求に従って前記設定手段に設定されているモードを切り替える、接続方法。
【請求項２２】
請求項１８ないし２１のいずれかに記載の接続方法において、
前記無線端末が、通信圏内にある小型基地局の通信状態を示す基地局情報を取得し、該取得した基地局情報を表示する、接続方法。
【請求項２３】
加入者無線端末を特定する識別情報を登録する登録手段と、前記加入者無線端末以外の無線端末である非加入者無線端末との接続を許可するか否かを示すモードが設定される設定手段とに接続可能なコンピュータに、
無線端末から、該無線端末を特定する識別情報を含む接続要求を受信する手順と、
前記受信された接続要求内の識別情報が前記登録手段に登録されていると、該無線端末と接続し、前記受信された接続要求内の識別情報が前記登録手段に登録されていないと、前記設定手段に設定されたモードが前記非加入者無線端末との接続を許可することを示す場合、該無線端末と接続する手順と、を実行させるためのプログラム。
【請求項２４】
請求項２３に記載のプログラムを記録した記録媒体。
【発明の詳細な説明】
【技術分野】
【０００１】
本発明は、小型基地局、無線端末、無線通信システム、接続管理方法、接続方法、プログラムおよび記録媒体に関する。
【背景技術】
【０００２】
携帯電話などの無線端末を用いた移動体通信では、マクロ移動通信基地局を中継して通信が行われていた。マクロ移動通信基地局を用いた通信では、各マクロ移動通信基地局の通信可能エリアであるカバレッジエリアの境界付近、ビルなどの建物内部、および、地下などにおいて、電波強度が微弱となり通信が困難になる不感地帯が生じるという問題点があった。また、カバレッジエリア内の無線端末が多くなると、安定した通信が困難になるという問題点もあった。
【０００３】
上記の問題点を解決するための技術として、小型移動通信基地局を利用する技術が提案または実用化されている。
【０００４】
小型移動通信基地局は、予め登録された加入者端末を、その加入者端末のユーザが契約しているブロードバンド回線と接続させることで、加入者端末の通信を中継している。このため、加入者端末がマクロ移動通信基地局の不感地帯にあっても、加入者端末が他の無線端末が多いマクロ移動通信基地局のガバレッジエリア内にあっても、小型移動通信基地局を用いることで、高速で安定した通信を実現することが可能になる。
【０００５】
上記の小型移動通信基地局を利用する技術としては、例えば、特許文献１に記載の網編入システムがある。
【先行技術文献】
【特許文献】
【０００６】
【特許文献１】特開２００６−３２４８３１号公報
【発明の概要】
【発明が解決しようとする課題】
【０００７】
小型移動通信基地局は、加入者端末以外の無線端末である非加入者端末との接続を許可していないため、非加入者端末は、近くに小型移動通信基地局があっても、その小型移動通信基地局を利用できず、高速で安定した通信を行うことができないという問題があった。
【０００８】
本発明の目的は、上記の課題である、非加入者端末が高速で安定した通信を行うことができないという問題を解決する小型基地局、無線端末、無線通信システム、接続管理方法、接続方法、プログラムおよび記録媒体を提供することである。
【課題を解決するための手段】
【０００９】
本発明による小型基地局は、加入者無線端末を特定する識別情報を登録する登録手段と、前記加入者無線端末以外の無線端末である非加入者無線端末との接続を許可するか否かを示すモードが設定される設定手段と、無線端末から、該無線端末を特定する識別情報を含む接続要求を受信する通信手段と、前記通信手段にて受信された接続要求内の識別情報が前記登録手段に登録されていると、該無線端末と接続し、前記通信手段にて受信された接続要求内の識別情報が前記登録手段に登録されていないと、前記設定手段に設定されたモードが前記非加入者無線端末との接続を許可することを示す場合、該無線端末と接続する制御手段と、を含む。
【００１０】
また、本発明による無線端末は、前記小型基地局と接続可能な無線端末であって、自無線端末を特定する識別情報を記憶する記憶手段と、通信を開始する旨の開始要求を受け付ける入力手段と、前記入力手段が前記開始要求を受け付けると、前記記憶手段に記憶された識別情報を含む接続要求を生成する管理手段と、前記管理手段が生成した接続要求を送信する端末通信手段と、を含む。
【００１１】
また、本発明による無線通信システムは、小型基地局と、前記小型基地局に接続可能な無線端末とを含む無線通信システムであって、前記無線端末は、自無線端末を特定する識別情報を記憶する記憶手段と、通信を開始する旨の開始要求を受け付ける入力手段と、前記入力手段が前記開始要求を受け付けると、前記記憶手段に記憶された識別情報を含む接続要求を生成する管理手段と、前記管理手段が生成した接続要求を送信する端末通信手段と、を含み、前記小型基地局は、加入者無線端末を特定する識別情報を登録する登録手段と、前記加入者無線端末以外の無線端末である非加入者無線端末との接続を許可するか否かを示すモードが設定される設定手段と、前記無線端末から、前記接続要求を受信する通信手段と、前記通信手段にて受信された接続要求内の識別情報が前記登録手段に登録されていると、該無線端末と接続し、前記通信手段にて受信された接続要求内の識別情報が前記登録手段に登録されていないと、前記設定手段に設定されたモードが前記非加入者無線端末との接続を許可することを示す場合、該無線端末と接続する制御手段と、を含む。
【００１２】
また、本発明による接続管理方法は、加入者無線端末を特定する識別情報を登録する登録手段と、前記加入者無線端末以外の無線端末である非加入者無線端末との接続を許可するか否かを示すモードが設定される設定手段と、を含む小型基地局が行う接続管理方法であって、無線端末から、該無線端末を特定する識別情報を含む接続要求を受信し、前記受信された接続要求内の識別情報が前記登録手段に登録されていると、該無線端末と接続し、前記受信された接続要求内の識別情報が前記登録手段に登録されていないと、前記設定手段に設定されたモードが前記非加入者無線端末との接続を許可することを示す場合、該無線端末と接続する。
【００１３】
また、本発明による第一の接続方法は、前記小型基地局と接続可能であり、自無線端末を特定する識別情報を記憶する記憶手段を含む無線端末が行う接続方法であって、通信を開始する旨の開始要求を受け付け、前記開始要求が受け付けられると、前記記憶手段に記憶された識別情報を含む接続要求を生成し、前記生成された接続要求を送信する。
【００１４】
また、本発明による第二の接続方法は、小型基地局と、前記小型基地局に接続可能な無線端末とを含み、前記小型基地局は、加入者無線端末を特定する識別情報を登録する登録手段と、前記加入者無線端末以外の無線端末である非加入者無線端末との接続を許可するか否かを示すモードが設定される設定手段と、を含み、前記無線端末は、自無線端末を特定する識別情報を記憶する記憶手段を含む無線通信システムが行う接続方法であって、前記無線端末が、通信を開始する旨の開始要求を受け付け、前記無線端末が、前記開始要求が受け付けられると、前記記憶手段に記憶された識別情報を含む接続要求を生成し、前記無線端末が、前記生成された接続要求を送信し、前記小型基地局が、前記無線端末から、前記接続要求を受信し、前記小型基地局が、前記受信された接続要求内の識別情報が前記登録手段に登録されていると、該無線端末と接続し、前記受信された接続要求内の識別情報が前記登録手段に登録されていないと、前記設定手段に設定されたモードが前記非加入者無線端末との接続を許可することを示す場合、該無線端末と接続する。
【００１５】
また、本発明によるプログラムは、加入者無線端末を特定する識別情報を登録する登録手段と、前記加入者無線端末以外の無線端末である非加入者無線端末との接続を許可するか否かを示すモードが設定される設定手段とに接続可能なコンピュータに、無線端末から、該無線端末を特定する識別情報を含む接続要求を受信する手順と、前記受信された接続要求内の識別情報が前記登録手段に登録されていると、該無線端末と接続し、前記受信された接続要求内の識別情報が前記登録手段に登録されていないと、前記設定手段に設定されたモードが前記非加入者無線端末との接続を許可することを示す場合、該無線端末と接続する手順と、を実行させる。
【００１６】
また、本発明による記録媒体は、前記プログラムを記録する。
【発明の効果】
【００１７】
本発明によれば、非加入者端末に高速で安定した通信を提供することが可能になる。
【図面の簡単な説明】
【００１８】
【図１】本発明による第１の実施形態の無線通信システムを示したブロック図である。
【図２】携帯端末の構成の一例を示したブロック図である。
【図３】小型移動通信基地局の構成の一例を示したブロック図である。
【図４】第１の実施形態の無線通信システムの動作の一例を説明するためのフローチャートである。
【図５】本発明による第２の実施形態の無線通信システムを示したブロック図である。
【図６】携帯端末の構成の他の例を示したブロック図である。
【図７】第２の実施形態の無線通信システムの動作の一例を説明するためのシーケンス図である。
【図８】小型移動通信基地局を検索する処理を説明するための説明図である。
【図９】基地局情報のリストの一例を示した説明図である。
【図１０】小型移動通信基地局に接続された携帯端末を示した概念図である。
【図１１】第２の実施形態の無線通信システムの動作の他の例を説明するためのフローチャートである。
【発明を実施するための形態】
【００１９】
以下、本発明の実施形態について図面を参照して説明する。なお、以下の説明では、同じ機能を有する構成には同じ符号を付け、その説明を省略する場合がある。
【００２０】
図１は、本発明による第１の実施形態の無線通信システムを示したブロック図である。図１において、無線通信システムは、携帯端末１０と、小型移動通信基地局２０とを含む。なお、携帯端末１０および小型移動通信基地局２０は、無線通信にて相互に接続可能である。
【００２１】
携帯端末１０は、無線端末の一例である。また、携帯端末１０は、例えば、携帯電話端末である。
【００２２】
図２は、携帯端末１０の構成の一例を示したブロック図である。図２において、携帯端末１０は、記憶部１０１と、入力部１０２と、管理部１０３と、端末通信部１０４とを含む。
【００２３】
記憶部１０１は、自携帯端末（携帯端末１０）を特定する識別情報を記憶する。
【００２４】
入力部１０２は、携帯端末１０のユーザから、通信を開始する旨の開始要求を受け付ける。
【００２５】
入力部１０２が開始要求を受け付けると、管理部１０３は、記憶部１０１に記憶された識別情報を含む接続要求を生成する。
【００２６】
端末通信部１０４は、管理部１０３が生成した接続要求を小型移動通信基地局２０に送信する。
【００２７】
図１に戻る。小型移動通信基地局２０は、小型基地局の一例である。小型移動通信基地局２０は、宅内などで使用される小型の無線基地局であり、ＡＤＳＬ（Asymmetric Digital Subscriber Line）、ＦＴＴＨ（Fiber To The Home）や専用線など固定ＩＰ網を介して、ＴＣＰ／ＩＰでコアネットワーク（バックボーンネットワーク）に接続可能な無線基地局である。
【００２８】
小型移動通信基地局２０は、例えば、フェムト基地局であり、通常の基地局であるマクロ移動通信基地局に比べて、同時に接続可能な携帯端末の数である接続可能数が少なく、カバレッジエリアが狭い。例えば、接続可能数は、４程度であり、カバレッジエリアは、半径が数十ｍ程度の円内となる。
【００２９】
図３は、小型移動通信基地局２０の構成の一例を示したブロック図である。図３において、小型移動通信基地局２０は、登録部２０１と、設定部２０２と、通信部２０３と、制御部２０４とを含む。
【００３０】
登録部２０１には、加入者端末を特定する識別情報が登録されている。加入者端末は、小型移動通信基地局２０の所有者やその家族などが使用する携帯端末であり、加入者端末の識別情報は、小型移動通信基地局２０が最初に起動される際などに登録部２０１に登録される。
【００３１】
設定部２０２には、加入者端末以外の携帯端末である非加入者端末との接続を許可するか否かを示すモードが設定される。以下、非加入者端末との接続を許可することを示すモードをオープンモードと称し、非加入者端末との接続を許可しないことを示すモードをクローズモードと称する。
【００３２】
通信部２０３は、携帯端末１０から接続要求を受信する。
【００３３】
制御部２０４は、通信部２０３が受信した接続要求内の識別情報が登録部２０１に登録されているか否かを判断する。
【００３４】
識別情報が登録されていると、制御部２０４は、携帯端末１０を加入者端末と判断して、携帯端末１０と接続する。
【００３５】
一方、識別情報が登録されていないと、制御部２０４は、携帯端末１０を非加入者端末と判断して、設定部２０２に設定されているモードを確認する。制御部２０４は、そのモードがオープンモードの場合、携帯端末１０と接続する。
【００３６】
携帯端末１０と接続する際に、既に接続可能数の携帯端末と接続されている場合、制御部２０４は、携帯端末１０をキャンプオンしてもよい。つまり、制御部２０４は、小型移動通信基地局２０が接続している携帯端末の数が接続可能数未満になるまで待機し、携帯端末の数が接続可能数未満になったときに、携帯端末１０と接続してもよい。
【００３７】
次に動作を説明する。
【００３８】
図４は、本実施形態による無線通信システムの動作を説明するためのフローチャートである。
【００３９】
ステップＳ１では、入力部１０２は、携帯端末１０のユーザから開始要求を受け付け、その開始要求を管理部１０３に送信する。管理部１０３は、開始要求を受信すると、ステップＳ２を実行する。
【００４０】
ステップＳ２では、管理部１０３は、記憶部１０１から識別情報を取得し、その識別情報を含む接続要求を生成する。管理部１０３は、その生成した接続要求を、端末通信部１０４を介して小型移動通信基地局２０の通信部２０３に送信する。通信部２０３は、接続要求を受信すると、その接続要求を制御部２０４に送信する。制御部２０４は、接続要求を受信すると、ステップＳ３を実行する。
【００４１】
ステップＳ３では、制御部２０４は、接続要求から識別情報を抽出し、その抽出した識別情報を登録部２０１から検索することで、その抽出した識別情報が登録部２０１に登録されているか否かを判断する。制御部２０４は、識別情報が登録されていると、ステップＳ４を実行し、識別情報が登録されていないと、ステップＳ５を実行する。
【００４２】
ステップＳ４では、制御部２０４は、携帯端末１０と接続して、携帯端末１０との通信を開始する。これにより、携帯端末１０は、小型移動通信基地局２０を介してコアネットワークと接続することができる。
【００４３】
ステップＳ５では、制御部２０４は、設定部２０２に設定されているモードを確認し、そのモードがオープンモードか否かを判断する。制御部２０４は、モードがオープンモードであると、ステップＳ４を実行し、モードがクローズモードであると、ステップＳ６を実行する。
【００４４】
ステップＳ６では、制御部２０４は、携帯端末１０との接続を拒否して、動作を終了する。なお、制御部２０４は、携帯端末１０に接続できない旨の拒否情報を送信してもよい。
【００４５】
次に効果を説明する。
【００４６】
本実施形態によれば、小型移動通信基地局２０は、登録部２０１と、設定部２０２と、通信部２０３と、制御部２０４とを含む。登録部２０１には、加入者端末を特定する識別情報が登録される。設定部２０２には、加入者端末以外の携帯端末である非加入者端末との接続を許可するか否かを示すモードが設定される。通信部２０３は、携帯端末１０から、携帯端末１０を特定する識別情報を含む接続要求を受信する。制御部２０４は、通信部２０３が受信した接続要求内の識別情報が登録部２０１に登録されていると、携帯端末１０と接続する。また、制御部２０４は、その識別情報が登録部２０１に登録されていないと、設定部２０２に設定されているモードが非加入者端末との接続を許可する場合、携帯端末１０と接続する。
【００４７】
これにより、非加入者端末との接続を許可するモードが設定されていると、携帯端末１０が登録されていなくても、つまり、携帯端末１０が非加入者端末であっても、携帯端末１０が小型移動通信基地局２０と接続される。したがって、非加入者端末でも小型移動通信基地局２０と接続することが可能になり、非加入者端末に高速で安定した通信を提供することが可能になる。
【００４８】
次に本発明による第２の実施形態について説明する。
【００４９】
なお、以下では、第１の実施形態と同じ機能を有するものには同じ符号を付し、その機能の説明を省略することがある。
【００５０】
図５は、本実施形態の無線通信システムを示したブロック図である。図５において、無線通信システムは、携帯端末１０および１１と、小型移動通信基地局２０と、マクロ移動通信基地局３０と、セキュリティゲートウェイ４０と、サーバ５０とを含む。また、サーバ５０には、認証サーバ５１と、ポイント管理サーバ５２とがある。
【００５１】
小型移動通信基地局２０およびセキュリティゲートウェイ４０は、固定ＩＰ網６０を介して相互に接続可能である。また、マクロ移動通信基地局３０およびサーバ５０は、オペレータ網７０およびコアネットワーク８０を介して相互に接続可能である。さらに、セキュリティゲートウェイ４０およびサーバ５０は、コアネットワーク８０を介して相互に接続可能である。
【００５２】
なお、固定ＩＰ網６０は、小型移動通信基地局２０の加入者が契約している回線網であり、例えば、ＡＤＳＬ、ＦＴＴＨおよび専用線などの有線ブロードバンド網である。オペレータ網７０は、移動通信オペレータが提供する移動通信機器がマクロ移動通信基地局３０を介してコアネットワーク８０と接続するための回線網である。コアネットワーク８０は、互いに異なる移動通信オペレータのそれぞれが提供する移動通信機器を接続することが可能な基幹回線網であり、小型移動通信基地局２０とマクロ移動通信基地局３０との接続拠点でもある。
【００５３】
マクロ移動通信基地局３０は、移動通信オペレータが提供する移動通信機器が無線通信を用いてコアネットワーク８０と接続するための拠点となる装置であり、小型移動通信基地局２０と比べて、接続可能数が多く、カバレッジエリアが広い。マクロ移動通信基地局３０のカバレッジエリアは、通常、半径数キロメートル程度の円内となる。
【００５４】
なお、移動通信機器がマクロ移動通信基地局３０のカバレッジエリアから外れる場合、マクロ移動通信基地局３０は、その移動通信機器との接続を別のマクロ移動通信基地局に切り替えるハンドオーバーを行うか、または、その移動通信機器との接続を切断する。
【００５５】
セキュリティゲートウェイ４０は、通信セキュリティを確保するための機能を有する。例えば、セキュリティゲートウェイ４０は、外部から小型移動通信基地局２０への不正アクセスを防止するファイアウォール機能、予め設定されたポリシーに合致しないサイトの閲覧を制限するフィルタリング機能、および、コンピュータウィルスやスパムメールなどを除去または隔離するアンチウイルス/アンチスパム機能などを有する。
【００５６】
認証サーバ５１は、携帯端末１０および１１が小型移動通信基地局２０を介して通信を行うためアプリケーション（以下、専用アプリと略す）にて提供されるアプリ機能を使用するためのアプリ認証機能を有する。
【００５７】
より具体的には、認証サーバ５１は、アプリ機能の使用を許可するユーザの認証情報をユーザごとに記憶するＤＢ（データベース:Database）５１ａを有する。なお、認証情報は、ユーザを特定するＩＤ（識別子：Identifier）およびＰＷ（パスワード：Password）の組を含むものとする。また、認証情報は、専用アプリが初めて実行されたときや、専用アプリがダウンロードされる際にＤＢ５１ａに登録される。
【００５８】
そして、認証サーバ５１は、携帯端末１０または１１から、認証情報を含むアプリ認証要求を受信すると、そのアプリ認証要求内の認証情報がＤＢ５１ａの中に存在するか否かを判断する。
【００５９】
続いて、認証サーバ５１は、その認証情報が存在すると、認証の成功を示すアプリ認証応答を生成し、その認証情報が存在しないと、認証の失敗を示すアプリ認証応答を生成する。認証サーバ５１は、その生成したアプリ認証応答を、アプリ認証要求を送信した携帯端末１０または１１に送信する。
【００６０】
また、認証サーバ５１は、ポイント管理サーバ５２と接続するためのサーバ認証機能を有する。
【００６１】
より具体的には、先ず、認証サーバ５１は、認証情報を含むサーバ認証要求を受信すると、そのサーバ認証要求内の認証情報と同じ認証情報がＤＢ５１ａの中に存在するか否かを判断する。
【００６２】
続いて、認証サーバ５１は、その認証情報が存在すると、認証の成功を示すサーバ認証応答を生成し、その認証情報が存在しないと、認証の失敗を示すサーバ認証応答を生成する。認証サーバ５１は、その生成したサーバ認証応答を、サーバ認証要求を送信した携帯端末１０または１１に送信する。
【００６３】
ポイント管理サーバ５２は、加入者端末のユーザである加入者に対するポイント情報を加入者ごとに記憶するＤＢ５２ａを含む。ポイント情報は、加入者端末を特定する識別情報と、加入者に付与するポイントとを含む。
【００６４】
ポイント管理サーバ５２は、小型移動通信基地局２０から、ポイントを蓄積する旨の蓄積要求を受信する。蓄積要求は、識別情報およびポイントを含む。ポイント管理サーバ５２は、その蓄積要求内の識別情報を含むポイント情報をＤＢ５２ａから検索し、検索されたポイント情報内のポイントに、蓄積要求内のポイントを加算して、加入者に付与するポイントを更新する。
【００６５】
また、ポイント管理サーバ５２は、携帯端末１０または１１から、識別情報を含む、ポイントを閲覧する旨の閲覧要求を受信する。閲覧要求は、識別情報を含む。ポイント管理サーバ５２は、閲覧要求内の識別情報を含むポイント情報をＤＢ５２ａから検索し、その検索されたポイント情報を、閲覧要求を送信した携帯端末１０または１１に送信する。
【００６６】
なお、ポイント管理サーバ５２に蓄積されたポイントは、小型移動通信基地局２０や固定ＩＰ網６０などの利用料金に対する割引や、携帯端末の交換時における携帯端末の購入料金に対する割引などに使用することができる。
【００６７】
図６は、本実施形態における携帯端末１０および１１の構成の一例を示したブロック図である。なお、携帯端末１０および１１は、同じ構成を有するので、以下では、携帯端末１０を例に説明する。
【００６８】
図６において、携帯端末１０は、図２で示した構成に加えて、表示部１０５を含む。つまり、携帯端末１０は、記憶部１０１と、入力部１０２と、管理部１０３と、端末通信部１０４と、表示部１０５とを含む。
【００６９】
記憶部１０１は、コンピュータにて読み取り可能な記録媒体である。また、記憶部１０１は、専用アプリを記憶する。
【００７０】
入力部１０２は、携帯端末１０のユーザから、種々の情報を受け付ける。例えば、入力部１０２は、専用アプリを実行する旨の実行要求と、アプリ認証要求と、通信圏内の小型移動通信基地局を検索する旨の検索要求と、開始要求と、モードを切り替える旨の切替要求と、サーバ認証要求と、閲覧要求とを受け付ける。なお、開始要求は、本実施形態では、検索要求にて検索された小型移動通信基地局のうちのいずれかを指定する情報を含む。
【００７１】
端末通信部１０４は、認証サーバ５１から、アプリ認証応答と、サーバ認証応答とを受信する。また、端末通信部１０４は、ポイント管理サーバ５２から、ポイント情報を受信する。
【００７２】
管理部１０３は、ＣＰＵなどのコンピュータであり、入力部１０２が実行要求を受け付けると、記憶部１０１に記憶された専用アプリを読み取り、その読み取った専用アプリを実行して以下の機能を実現する。
【００７３】
管理部１０３は、入力部１０２が受け付けたアプリ認証要求およびサーバ認証要求を、端末通信部１０４を介して認証サーバ５１に送信する。
【００７４】
また、管理部１０３は、端末通信部１０４が受信したアプリ認証応答を表示部１０５に表示する。このとき、アプリ認証応答が認証の成功を示すと、管理部１０３は、アプリ機能の実行を許可する。
【００７５】
管理部１０３は、入力部１０２が検索要求を受信すると、通信圏内にある小型移動通信基地局２０を検索する。管理部１０３は、検索された小型移動通信基地局２０のそれぞれの通信状態を示す基地局情報を取得し、それらの基地局情報をリスト化して表示部１０５に表示する。
【００７６】
小型移動通信基地局２０の通信状態は、例えば、小型移動通信基地局２０が固定ＩＰ網６０を介して行っている通信の通信量や、小型移動通信基地局２０からの電波強度などである。
【００７７】
管理部１０３は、入力部１０２が開始要求を受け付けると、記憶部１０１内の識別情報を含む接続要求を生成する。管理部１０３は、その接続要求を、端末通信部１０４を介して、その開始要求が指定する小型移動通信基地局２０に送信する。
【００７８】
管理部１０３は、入力部１０２が切替要求を受け付けると、その切替要求に記憶部１０１内の識別情報を加え、その識別情報を加えた切替要求を、端末通信部１０４を介して小型移動通信基地局２０に送信する。
【００７９】
管理部１０３は、入力部１０２が閲覧要求を受け付けると、その閲覧要求に記憶部１０１内の識別情報を加え、その識別情報を加えた閲覧要求を、端末通信部１０４を介してポイント管理サーバ５２に送信する。
【００８０】
図５に戻る。小型移動通信基地局２０は、図３で示した構成と同じ構成を有する。
【００８１】
通信部２０３は、携帯端末１０または１１から切替要求を受信する。
【００８２】
制御部２０４は、通信部２０３が受信した切替要求に従って、設定部２０２に設定されているモードを切り替える。
【００８３】
また、設定部２０２に設定されたモードがオープンモードの場合、制御部２０４は、非加入者携帯端末に関する値を測定し、その値に応じて加入者携帯端末のユーザに与えるポイントを算出する。
【００８４】
加入者携帯端末に関する値は、例えば、非加入者携帯端末の接続回数と、非加入者携帯端末の接続時間と、オープンモードが設定されている設定時間との少なくとも一つである。
【００８５】
制御部２０４は、算出したポイントと、登録部２０１に登録されている識別情報とを含むと蓄積要求を生成し、その蓄積要求をポイント管理サーバ５２に送信する。
【００８６】
次に動作を説明する。
【００８７】
なお、以下では、携帯端末１０は、小型移動通信基地局２０に登録された加入者端末であるとし、携帯端末１１は、小型移動通信基地局２０に登録されていない非加入者端末であるとする。
【００８８】
先ず、非加入者端末である携帯端末が小型移動通信基地局２０を介して通信を行うための動作を説明する。図７は、この動作の一例を説明するためのシーケンス図である。なお、小型移動通信基地局２０には、オープンモードが設定されているものとする。
【００８９】
携帯端末１１の入力部１０２は、実行要求を受け付けると、ステップＡ１を実行する。
【００９０】
ステップＡ１では、入力部１０２は、実行要求を管理部１０３に送信する。管理部１０３は、実行要求を受信すると、記憶部１０１から専用アプリケーションを読み取り、その読み取った専用アプリケーションを実行して管理部１０３の以下の機能を実現する。
【００９１】
管理部１０３は、認証情報であるＩＤおよびＰＷの入力を要求する入力画面を表示部１０５に表示する。
【００９２】
入力画面を確認したユーザは、ＩＤおよびＰＷをアプリ認証要求として入力部１０２に入力する。入力部１０２は、アプリ認証要求を受け付けると、管理部１０３に送信する。管理部１０３は、アプリ認証要求を受信すると、ステップＡ２を実行する。
【００９３】
ステップＡ２では、管理部１０３は、アプリ認証要求を、端末通信部１０４、マクロ移動通信基地局３０、オペレータ網７０およびコアネットワーク８０を経由して認証サーバ５１に送信する。認証サーバ５１は、アプリ認証要求を受信すると、ステップＡ３を実行する。
【００９４】
ステップＡ３では、認証サーバ５１は、アプリ認証要求内のＩＤおよびＰＷの組を含む認証情報をＤＢ５１ａから検索して、その認証情報がＤＢ５１ａに存在するか否かを判断する。
【００９５】
認証サーバ５１は、その認証情報が存在すると、認証の成功を示すアプリ認証応答を生成し、その認証情報が存在しないと、認証の失敗を示すアプリ認証応答を生成する。認証サーバ５１は、その生成したアプリ認証応答を、コアネットワーク８０、オペレータ網７０およびマクロ移動通信基地局３０を介して携帯端末１１の端末通信部１０４に送信する。
【００９６】
端末通信部１０４は、アプリ認証応答を受信すると、そのアプリ認証応答を、管理部１０３に送信する。管理部１０３は、アプリ認証応答を受信すると、そのアプリ認証応答を表示部１０５に表示する。
【００９７】
このとき、管理部１０３は、アプリ認証応答が認証の失敗を示すと、処理を終了する。一方、管理部１０３は、アプリ認証応答が認証の成功を示すと、専用アプリにて提供されるアプリ機能を実行するための画面を表示部１０５に表示するなどして、アプリ機能の実行をユーザに許可する。その後、ステップＡ４が実行される。
【００９８】
ステップＡ４では、携帯端末１１のユーザが入力部１０２に検索要求を入力する。入力部１０２は、検索要求を受け付けると、その検索要求を管理部１０３に送信する。管理部１０３は、検索要求を受信すると、通信圏内にある小型移動通信基地局を検索する。
【００９９】
図８は、小型移動通信基地局を検索する処理を説明するための説明図である。なお、図８では、携帯端末１１と、携帯端末１１の周囲に存在する４つの小型移動通信基地局２０が示されている。
【０１００】
通信圏内にある小型移動通信基地局を検索する際、管理部１０３は、小型移動通信基地局２０を検索するための検索用信号を、端末通信部１０４を介して送信する。管理部１０３は、検索用信号を送信してから所定期間内に、端末通信部１０４が検索用信号に対する応答信号を小型移動通信基地局から受信すると、その小型移動通信基地局が通信圏内にあると判断する。
【０１０１】
なお、小型移動通信基地局２０のそれぞれの通信部２０３は、検索用信号を受信すると、その検索用信号を制御部２０４に送信する。制御部２０４は、検索用信号を受信すると、検索用信号に対する応答信号を生成し、その応答信号を通信部２０３を介して携帯端末１１に送信する。
【０１０２】
管理部１０３は、通信圏内にある小型移動通信基地局を検索すると、ステップＡ５を実行する。
【０１０３】
ステップＡ５では、管理部１０３は、その検索された小型移動通信基地局２０のそれぞれの通信部２０３に、基地局情報を通知する旨の通知要求を、端末通信部１０４を介して送信する。通信部２０３は、通知要求を受信すると、通信部２０３は、通知要求を制御部２０４に送信する。制御部２０４は、通知要求を受信すると、ステップＡ６を実行する。
【０１０４】
ステップＡ６では、制御部２０４は、固定ＩＰ網６０を介して行っている通信の通信量を、自小型移動通信基地局２０の通信状態として測定する。制御部２０４は、その通信状態を示す基地局情報を生成し、その基地局情報を、通信部２０３を介して携帯端末１１の端末通信部１０４に送信する。端末通信部１０４は、基地局情報を受信すると、その基地局情報を管理部１０３に送信する。管理部１０３は、その基地局情報を受信する。
【０１０５】
また、管理部１０３は、検索された小型移動通信基地局２０のそれぞれからの受信強度を、その小型移動通信基地局２０の通信状態として測定し、その通信状態を示す基地局情報を生成する。
【０１０６】
管理部１０３は、受信した基地局情報と、生成した基地局情報とをリスト化して表示部１０５に表示する。
【０１０７】
図９は、表示部１０５に表示された基地局情報のリストの一例を示した説明図である。図９において、基地局情報のリスト９００は、小型移動通信基地局名９０１と、帯域幅９０２と、受信強度９０３とを含む。
【０１０８】
小型移動通信基地局名９０１は、小型移動通信基地局の名前であり、小型移動通信基地局を特定する。
【０１０９】
帯域幅９０２は、小型移動通信基地局名９０１にて特定される小型移動通信基地局２０が固定ＩＰ網６０を介して行っている通信の通信量である。なお、帯域幅９０２は、通信量が少ない方から準に「◎」、「○」および「△」を示す。また、通信量が少ないほど、より安定かつ高速な通信を行うことが可能である。
【０１１０】
受信強度９０３は、小型移動通信基地局名９０１にて特定される小型移動通信基地局２０からの信号の受信強度である。なお、受信強度９０３が示す記号は、受信強度が強いほど、立っている棒の数が多い。また、受信強度が強いほど、より安定かつ高速な通信を行うことが可能である。
【０１１１】
管理部１０３が基地局情報のリストを表示すると、その後、ステップＡ７が実行される。
【０１１２】
ステップＡ７では、ユーザがリスト上の小型移動通信基地局の中から接続する小型移動通信基地局を決定し、その決定した小型移動通信基地局２０を介して通信を行う旨の開始要求を入力部１０２に入力する。
【０１１３】
入力部１０２は、開始要求を受け付けると、その開始要求を管理部１０３に送信する。管理部１０３は、開始要求を受信すると、記憶部１０１から識別情報を取得し、その識別情報を含む接続要求を生成する。管理部１０３は、接続要求を端末通信部１０４を介して小型移動通信基地局２０の通信部２０３に送信する。通信部２０３は、接続要求を受信すると、接続要求を制御部２０４に送信する。制御部２０４は、その接続要求を受信すると、ステップＡ８を実行する。
【０１１４】
ステップＡ８では、制御部２０４は、接続要求から識別情報を抽出する。制御部２０４は、その抽出した識別情報を登録部２０１から検索して、その抽出した識別情報が登録部２０１に登録されているか否かを判断する。
【０１１５】
今、携帯端末１１は非加入者端末なので、その抽出された識別情報は、登録されていない。したがって、制御部２０４は、設定部２０２に設定されているモードを確認し、そのモードがオープンモードか否かを判断する。
【０１１６】
今、モードはオープンモードであるので、制御部２０４は、携帯端末１１との接続を承認する。制御部２０４は、接続を承認すると、接続を承認した旨の承認情報を生成し、その承認情報を通信部２０３を介して携帯端末１１の端末通信部１０４に送信する。端末通信部１０４は、承認情報を受信すると、その承認情報を管理部１０３に送信する。管理部１０３は、承認情報を受信すると、ステップＡ９を実行する。
【０１１７】
ステップＡ９では、管理部１０３は、小型移動通信基地局２０と接続し、小型移動通信基地局２０を介して通信を開始する。
【０１１８】
なお、小型移動通信基地局２０を介した通信が行われている場合、セキュリティゲートウェイ４０は、ファイアウォール機能、フィルタリング機能およびアンチウイルス/アンチスパム機能などを用いて、通信セキュリティを確保する
また、小型移動通信基地局２０と接続されている携帯端末の数が接続可能数より少なければ、小型移動通信基地局２０は、複数の非加入者端末と接続されてもよい。図１０では、加入者端末である携帯端末１０と、非加入者端末である携帯端末１１〜１３とが１つの小型移動通信基地局２０に接続されている例が示されている。
【０１１９】
また、以上の動作とは独立に、小型移動通信基地局２０の制御部２０４は、設定部２０２に設定されているモードがオープンモードか否かを監視する。制御部２０４は、モードがオープンモードであると、ステップＡ１０を実行する。
【０１２０】
ステップＡ１０では、制御部２０４は、非加入者携帯端末の接続回数と、非加入者携帯端末の接続時間と、オープンモードが設定されている設定時間との少なくとも一つを、非加入者携帯端末に関する値として測定し、その値に応じて加入者携帯端末のユーザに与えるポイントを算出する。なお、制御部２０４は、接続回数、接続時間および設定時間が大きいほど、ポイントを大きくする。
【０１２１】
制御部２０４は、ポイントを算出すると、登録部２０１から識別情報を取得し、そのポイントおよび識別情報を含む蓄積要求を生成する。制御部２０４は、その蓄積要求を、固定ＩＰ網６０、セキュリティゲートウェイ４０およびコアネットワーク８０を介してポイント管理サーバ５２に送信する。
【０１２２】
ポイント管理サーバ５２は、蓄積要求を受信すると、その蓄積要求内の識別情報を含むポイント情報をＤＢ５２ａから検索する。ポイント管理サーバ５２は、検索されたポイント情報内のポイントに、蓄積要求内のポイントを加算して、加入者に付与するポイントを更新する。
【０１２３】
次にモードを切り替える際の動作を説明する。
【０１２４】
図１１は、モードを切り替える際の動作の一例を説明するためのシーケンス図である。なお、小型移動通信基地局２０には、クローズモードが設定されているものとする。
【０１２５】
携帯端末１０の入力部１０２は、実行要求を受け付けると、ステップＢ１を実行する。
【０１２６】
入力部１０２は、実行要求を管理部１０３に送信する。管理部１０３は、実行要求を受信すると、記憶部１０１から専用アプリケーションを読み取り、その読み取った専用アプリケーションを実行して管理部１０３の以下の機能を実現する。
【０１２７】
管理部１０３は、認証情報であるＩＤおよびＰＷの入力を要求する入力画面を表示部１０５に表示する。
【０１２８】
入力画面を確認したユーザは、ＩＤおよびＰＷをアプリ認証要求として入力部１０２に入力する。入力部１０２は、アプリ認証要求を受け付けると、管理部１０３に送信する。管理部１０３は、アプリ認証要求を受信すると、ステップＢ２を実行する。
【０１２９】
ステップＢ２では、管理部１０３は、アプリ認証要求を、端末通信部１０４、マクロ移動通信基地局３０、オペレータ網７０およびコアネットワーク８０を経由して認証サーバ５１に送信する。認証サーバ５１は、アプリ認証要求を受信すると、ステップＢ３を実行する。
【０１３０】
ステップＢ３では、認証サーバ５１は、アプリ認証要求内のＩＤおよびＰＷの組を含む認証情報をＤＢ５１ａから検索して、その認証情報がＤＢ５１ａに存在するか否かを判断する。
【０１３１】
認証サーバ５１は、その認証情報が存在すると、認証の成功を示すアプリ認証応答を生成し、その認証情報が存在しないと、認証の失敗を示すアプリ認証応答を生成する。認証サーバ５１は、その生成したアプリ認証応答を、コアネットワーク８０、オペレータ網７０およびマクロ移動通信基地局３０を介して携帯端末１０の端末通信部１０４に送信する。
【０１３２】
端末通信部１０４は、アプリ認証応答を受信すると、そのアプリ認証応答を、管理部１０３に送信する。管理部１０３は、アプリ認証応答を受信すると、そのアプリ認証応答を表示部１０５に表示する。
【０１３３】
このとき、管理部１０３は、アプリ認証応答が認証の失敗を示すと、動作を終了し、アプリ認証応答が認証の成功を示すと、専用アプリにて提供されるアプリ機能を実行するための画面を表示部１０５に表示するなどして、アプリ機能の実行をユーザに許可する。その後、ステップＢ４が実行される。
【０１３４】
ステップＢ４では、携帯端末１０のユーザが入力部１０２に、クローズモードをオープンモードに切り替える旨の切替要求を入力する。入力部１０２は、切替要求を受け付けると、その切替要求を管理部１０３に送信する。管理部１０３は、切替要求を受信すると、記憶部１０１から識別情報を取得し、その識別情報を切替要求に加える。管理部１０３は、識別情報を加えた切替要求を、端末通信部１０４を介して小型移動通信基地局２０の通信部２０３に送信する。通信部２０３は、切替要求を受信すると、その切替要求を制御部２０４に送信する。制御部２０４は、切替要求を受信すると、ステップＢ５を実行する。
【０１３５】
ステップＢ５では、制御部２０４は、設定部２０２に設定されているクローズモードをオープンモードに切り替える。その後、制御部２０４は、ステップＢ６を実行する。
【０１３６】
ステップＢ６では、制御部２０４は、モードの切り替えが完了した旨の切替完了情報を生成し、その切替完了情報を、携帯端末１０の端末通信部１０４に送信する。端末通信部１０４は、切替完了情報を受信すると、その切替完了情報を管理部１０３に送信する。管理部１０３は、切替完了情報を受信すると、その切替完了情報を表示部１０５に表示して動作を終了する。
【０１３７】
次に効果を説明する。
【０１３８】
本実施形態によれば、制御部２０４は、設定部２０２に設定されているモードがオープンモードの場合、非加入者端末に関する値を測定し、その測定した値に応じて加入者端末のユーザに与えるポイントを算出する。
【０１３９】
この場合、モードがオープンモードに設定されていると、加入者端末のユーザに与えるポイントが非加入者端末に関する値に応じて算出される。
【０１４０】
したがって、加入者はオープンモードに設定することでインセンティブ（ポイント）を得ることが可能になる。また、非加入者は、小型移動通信基地局を介した安定した通信を利用することができるので、小型移動通信基地局の利便性を直接的かつ体験的に得ることができる。また、加入者は、優先的に小型移動通信基地局を使えることや、ポイントによるインセンティブを得ることができるなで、非加入者よりサービス面が充実するため、小型移動通信基地局を体験した非加入者を新規顧客（加入者）として誘致することが見込める。
【０１４１】
また、本実施形態では、非加入者端末に関する値は、非加入者無線端末の接続回数と、非加入者無線端末の接続時間と、オープンモードが設定されている設定時間と、の少なくとも一つである。なお、設定時間が長いほど、非加入者無線端末の接続回数および接続時間も大きくなると考えられる。
【０１４２】
この場合、オープンモードの設定時間が長いほど、加入者が得られるインセンティブを大きくすることが可能になるので、オープンモードの設定時間を長くさせることが可能になる。したがって、非加入者端末に高速で安定した通信を高い頻度で提供することが可能になる。
【０１４３】
また、本実施形態では、通信部２０３は、携帯端末１０および１１から、その携帯端末を特定する識別情報を含む切替要求を受信する。制御部２０４は、通信部２０３が受信した切替要求内の識別情報が登録部２０１に登録されている場合、通信部２０３が受信した切替要求に従って設定部２０２に設定されているモードを切り替える。
【０１４４】
この場合、携帯端末から受信した切替要求内の識別情報が登録されている場合、モードがその切替要求に従って切り替えられる。したがって、小型移動通信基地局２０の加入者は、自身の所有する携帯端末を用いてモードを切り替えることが可能になり、容易にモードを切り替えることが可能になる。
【０１４５】
また、本実施形態では、管理部１０３は、携帯端末の通信圏内にある小型移動通信基地局の通信状態を示す基地局情報を取得し、その基地局情報を表示部１０５に表示する。
【０１４６】
この場合、小型移動通信基地局の通信状態を確認し、最適な小型移動通信基地局を選択することが可能になる。したがって、最も高速かつ安定した小型移動通信基地局を使用して通信を行うことが可能になる。
【０１４７】
なお、以上説明した携帯端末１０や小型移動通信基地局２０の機能は、その機能を実現するためのプログラムを、コンピュータにて読み取り可能な記録媒体に記録して、この記録媒体に記録されたプログラムをコンピュータに読み込ませ、実行するものであってもよい。コンピュータにて読み取り可能な記録媒体とは、フレキシブルディスク、光磁気ディスク、ＣＤ−ＲＯＭ等の記録媒体、コンピュータシステムに内蔵されるハードディスク装置等の記録装置を指す。さらに、コンピュータにて読み取り可能な記録媒体は、インターネットを介してプログラムを送信する場合のように、短時間、動的にプログラムを保持するもの（伝送媒体または伝送波）、その場合のサーバとなるコンピュータ内の揮発性メモリのように、一定期間プログラムを保持しているものを含む。
【０１４８】
以上説明した各実施形態において、図示した構成は単なる一例であって、本発明はその構成に限定されるものではない。
【０１４９】
例えば、非加入者端末に関する値は、非加入者無線端末の接続回数、非加入者無線端末の接続時間およびオープンモードが設定されている設定時間に限らず、適宜変更可能である。
【符号の説明】
【０１５０】
１０      携帯端末
２０      小型移動通信基地局
３０      マクロ移動通信基地局
４０      セキュリティゲートウェイ
５０      サーバ
５１      認証サーバ
５２      ポイント管理サーバ
１０１    記憶部
１０２    入力部
１０３    管理部
１０４    表示部
２０１    登録部
２０２    設定部
２０３    通信部
２０４    制御部
【図１】
2010263561.tif 000003
【図２】
2010263561.tif 000004
【図３】
2010263561.tif 000005
【図４】
2010263561.tif 000006
【図５】
2010263561.tif 000007
【図６】
2010263561.tif 000008
【図７】
2010263561.tif 000009
【図８】
2010263561.tif 000010
【図９】
2010263561.tif 000011
【図１０】
2010263561.tif 000012
【図１１】
2010263561.tif 000013